【手続補正書】
【提出日】平成19年10月24日(2007.10.24)
【手続補正１】
【補正対象書類名】明細書
【補正対象項目名】発明の名称
【補正方法】変更
【補正の内容】
【発明の名称】画像通信装置、電子メール送信制御方法、及び記憶媒体
【手続補正２】
【補正対象書類名】明細書
【補正対象項目名】特許請求の範囲
【補正方法】変更
【補正の内容】
【特許請求の範囲】
【請求項１】  送信する電子メールに添付するファイルを入力する入力手段と、
ユーザによる操作入力に基づいて、前記電子メールの件名を設定する設定手段と、
前記設定手段が設定した件名に基づいて前記電子メールに添付するファイルのファイル名を生成する生成手段と、
前記生成手段が生成したファイル名のファイルを添付し、前記設定手段により件名が設定された電子メールを送信する送信手段と、を備えることを特徴とする画像通信装置。
【請求項２】  前記入力手段は、原稿の画像を読み取ることで前記ファイルを入力することを特徴とする請求項１に記載の画像通信装置。
【請求項３】  前記生成手段は、前記入力手段が読み取った原稿のページ数と前記設定手段が設定した件名とに基づいて前記電子メールに添付するファイルのファイル名を生成することを特徴とする請求項２に記載の画像通信装置。
【請求項４】  前記入力手段は、着脱自在に装着可能な記憶媒体から前記ファイルを入力することを特徴とする請求項１に記載の画像通信装置。
【請求項５】  画像通信装置における電子メール送信制御方法であって、
送信する電子メールに添付するファイルを入力する入力工程と、
ユーザによる操作入力に基づいて、前記電子メールの件名を設定する設定工程と、
前記設定工程において設定された件名に基づいて前記電子メールに添付するファイルのファイル名を生成する生成工程と、
前記生成工程において生成されたファイル名のファイルを添付し、前記設定工程において件名が設定された電子メールを送信する送信工程と、を備えることを特徴とする電子メール送信制御方法。
【請求項６】  画像通信装置における電子メール送信制御方法を画像通信装置に実行させるための制御プログラムを格納した記憶媒体であって、前記電子メール送信制御方法は、
送信する電子メールに添付するファイルを入力する入力工程と、
ユーザによる操作入力に基づいて、前記電子メールの件名を設定する設定工程と、
前記設定工程において設定された件名に基づいて前記電子メールに添付するファイルのファイル名を生成する生成工程と、
前記生成工程において生成されたファイル名のファイルを添付し、前記設定工程において件名が設定された電子メールを送信する送信工程と、を備えることを特徴とする記憶媒体。
【手続補正３】
【補正対象書類名】明細書
【補正対象項目名】０００１
【補正方法】変更
【補正の内容】
【０００１】
【発明の属する技術分野】
本発明は、画像通信装置、電子メール送信制御方法、及び記憶媒体に関し、特に、読み取った画像データを電子メールに添付して送信する電子メール通信機能を有する画像通信装置、電子メール送信制御方法、及び記憶媒体に関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、上述した点に鑑みなされたものであり、電子メールに添付する画像ファイルの名称を入力することを不要とし、電子メールの送信操作を簡単にすると共に、電子メールの受信者が何のファイルであるかを認識しやすい名称を付けることを可能とした画像通信装置、電子メール送信制御方法、及び記憶媒体を提供することを目的とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
【課題を解決するための手段】
上記目的を達成するため、本発明は、送信する電子メールに添付するファイルを入力する入力手段と、ユーザによる操作入力に基づいて、前記電子メールの件名を設定する設定手段と、前記設定手段が設定した件名に基づいて前記電子メールに添付するファイルのファイル名を生成する生成手段と、前記生成手段が生成したファイル名のファイルを添付し、前記設定手段により件名が設定された電子メールを送信する送信手段と、を備えることを特徴とする。
【手続補正８】
【補正対象書類名】明細書
【補正対象項目名】００１２
【補正方法】変更
【補正の内容】
【００１２】
上記目的を達成するため、本発明は、前記入力手段は、原稿の画像を読み取ることで前記ファイルを入力することを特徴とする。
【手続補正９】
【補正対象書類名】明細書
【補正対象項目名】００１３
【補正方法】変更
【補正の内容】
【００１３】
上記目的を達成するため、本発明は、前記生成手段は、前記入力手段が読み取った原稿のページ数と前記設定手段が設定した件名とに基づいて前記電子メールに添付するファイルのファイル名を生成することを特徴とする。
【手続補正１０】
【補正対象書類名】明細書
【補正対象項目名】００１４
【補正方法】変更
【補正の内容】
【００１４】
上記目的を達成するため、本発明は、前記入力手段は、着脱自在に装着可能な記憶媒体から前記ファイルを入力することを特徴とする。
【手続補正１１】
【補正対象書類名】明細書
【補正対象項目名】００１５
【補正方法】変更
【補正の内容】
【００１５】
上記目的を達成するため、本発明は、画像通信装置における電子メール送信制御方法であって、送信する電子メールに添付するファイルを入力する入力工程と、ユーザによる操作入力に基づいて、前記電子メールの件名を設定する設定工程と、前記設定工程において設定された件名に基づいて前記電子メールに添付するファイルのファイル名を生成する生成工程と、前記生成工程において生成されたファイル名のファイルを添付し、前記設定工程において件名が設定された電子メールを送信する送信工程と、を備えることを特徴とする。
【手続補正１２】
【補正対象書類名】明細書
【補正対象項目名】００１６
【補正方法】変更
【補正の内容】
【００１６】
上記目的を達成するため、本発明は、画像通信装置における電子メール送信制御方法を画像通信装置に実行させるための制御プログラムを格納した記憶媒体であって、前記電子メール送信制御方法は、送信する電子メールに添付するファイルを入力する入力工程と、ユーザによる操作入力に基づいて、前記電子メールの件名を設定する設定工程と、前記設定工程において設定された件名に基づいて前記電子メールに添付するファイルのファイル名を生成する生成工程と、前記生成工程において生成されたファイル名のファイルを添付し、前記設定工程において件名が設定された電子メールを送信する送信工程と、を備えることを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】０１９０
【補正方法】変更
【補正の内容】
【０１９０】
【発明の効果】
以上説明したように、本発明によれば、設定した電子メールの件名に基づいて生成したファイル名のファイルを電子メールに添付し送信するので、電子メールに添付する画像ファイルの名称を入力する必要がないため、電子メールの送信操作が簡単になると共に、電子メールの受信者が何のファイルであるかを認識しやすい名称を付けることができるという効果を奏する。
【手続補正６７】
【補正対象書類名】明細書
【補正対象項目名】０１９１
【補正方法】削除
【補正の内容】